(57)【特許請求の範囲】
【請求項１】
液体を吸収する吸収体と、この吸収体より外側に配置された防水材とを積層して本体を形成する母乳パッドを収容するために、上下各１枚の帯状の部材の間に前記母乳パッドを挟みこむことで構成した収容体であって、
前記上下の帯状の部材の間で、２つ折りとした前記母乳パッドが、それぞれの曲折部を同じ向きになる方向に列状に連続して２つ配置されていて、
かつ前記上下の帯状の部材どうしは、その全周縁に沿って互いに接着されており、
前記帯状部材の少なくとも一方には、前記２つの母乳パッドの間の領域にて、幅方向に沿った開封手段が設けられていて、
さらに、前記母乳パッドの防水材の表面側には、接着部が設けられており、この接着部は、前記母乳パッドが前記収容体に収容された状態にて、この収容体の内側に仮固定されている
ことを特徴とする、母乳パッド収容体。
【請求項２】
前記接着部が、剥離手段を介して前記収容体の内側に仮固定されていることを特徴とする、請求項１に記載の母乳パッド収容体。
【請求項３】
前記接着部が前記母乳パッドの防水材の表面の互いに対称の位置に複数設けられている
ことを特徴とする、請求項１または２のいずれかに記載の母乳パッド収容体。
【請求項４】
前記収容体は、前記２つの母乳パッドを収容した個装単位が連続するように接続されており、かつこの個装単位ごとに幅方向に設けたミシン目を有する
ことを特徴とする、請求項１ないし３のいずれかに記載の母乳パッド収容体。
【発明の詳細な説明】
【技術分野】
【０００１】
この発明は、授乳期の母親が、ブラジャー等の下着と乳房との間に介装するための母乳パッドを収容する収容体の改良に関するものである。
【背景技術】
【０００２】
従来、このような母乳パッドは、例えば図２５に示すように使用されている。
図において、ブラジャー２の各カップ３，３の内側には、ほぼ円形のドーム状でなる母乳パッド１，１がひとつづつ介装されるようになっている。
【０００３】
このような母乳パッド１，１は、正面図である図２６（ａ）及び側面図である図２６（ｂ）に示すように、円形のドーム状に形成されており、厚み方向に複数の柔軟材料を積層して構成されている。すなわち、母乳パッド１は、使用者の肌と直接接触する内側表面に表面材を配置し、その次に吸収材を配置し、少なくとも外側には液体が吸収材からしみ出て着衣を汚すことがないように防水材料が積層されて構成されている。
【０００４】
また、この防水材料の表面側の所定の位置には、接着剤等を適用した接着部４が設けられており、図２５に示すようにブラジャー２のカップ３の内側にこの接着部４を貼りつけて固定して用いる。これにより、下着と母乳パッド１とがずれないようにして使用されている。
【発明の概要】
【発明が解決しようとする課題】
【０００５】
ところで、このような母乳パッド１は、その販売に際して、図２７の矢印に示すように２つ折りされて、例えば、図２８に示すような半円もしくは半月形にして、個装収容体５にひとつずつ包装されている。
この場合、個装収容体５は、例えばポリエチレンフィルム等により形成された袋体でなっており、使用の際には、その一面（図２８において上面）の中央付近に幅方向に設けられた切断線５ｃに沿って切り離す。そして、その切り口から，もしくは切り口を手掛かりにして、上面部の一方，例えば５ａ側を図２８に示すように切り離して、内部に収容されている２つ折り母乳パッド１を取り出すようになっている。
【０００６】
そして、取り出した母乳パッド１については、図１５にて説明した剥離紙４を手で剥がして、下着の内側に装着するようにして使用されている。このため、ひとつの母乳パッド１を使用するのに、収容体５を破く動作と、さらに取り出した母乳パッド１の剥離紙４を剥がす動作とを必要とし、手間がかかり、使い勝手が悪いという問題があった。
【０００７】
本発明は、このような問題を解決するためになされたもので、収容体を破くだけの簡単な作業で、母乳パッドを収容体から取り出して、すぐに使用できるようにした母乳パッド収容体を提供すること目的としている。
【課題を解決するための手段】
【００２４】
また、上記目的は、請求項１の発明によれば、液体を吸収する吸収体と、この吸収体より外側に配置された防水材とを積層して本体を形成する母乳パッドを収容するために、上下各１枚の帯状の部材の間に前記母乳パッドを挟みこむことで構成した収容体であって、前記上下の帯状の部材の間で、２つ折りとした前記母乳パッドが、それぞれの曲折部を同じ向きになる方向に列状に連続して２つ配置されていて、かつ前記上下の帯状の部材どうしは、その全周縁に沿って互いに接着されており、前記帯状部材の少なくとも一方には、前記２つの母乳パッドの間の領域にて、幅方向に沿った開封手段が設けられていて、さらに、前記母乳パッドの防水材の表面側には、接着部が設けられており、この接着部は、前記母乳パッドが前記収容体に収容された状態にて、この収容体の内側に仮固定されている、母乳パッド収容体により、達成される。
【００２５】
請求項１の構成によれば、収容体を上下２枚の帯状の部材で構成したので、製造工程において、連続した長いシート状材料を供給することにより、容易に収容体を製造することができる。
そして、２つ折りにされた２つの母乳パッドは、それぞれの曲折部を同じ向きになる方向に列状に連続して配置されているので、この２つの母乳パッドの間で曲折して重ねれば、重なった状態において、母乳パッドの曲折部と周縁部どうしがかさなるので、２つ折りにした収容体の形状は、左右で同じ厚みとなる。このため、これら収容体を多数重ねてパッケージを形成する際に、柔軟な素材にてバランスのとれた矩形状あるいは直方体等のパッケージを容易に形成できる。
また、上帯状体と下帯状体とを上下に重ねて収容体を形成するようにしたので、容易に内部の空気を追い出して周縁を接着できることから、収容体が空気により膨らむことがなく、このため、コンパクトなパッケージが得られる。
しかも、ひとつの収容体に２つの母乳パッドを形成したため、前記開封手段を開けば、ひとつの収容体の開封手段を開けるだけで２つの母乳パッドを同時に取り出すことができる。
そして、この場合、請求項１の発明と同様に、母乳パッドを収容体から取り出すだけで、母乳パッドの接着部を露出させることができる。このため、使用開始が簡単で、剥離紙等のごみを始末する必要もない。
【００２６】
請求項２の発明は、請求項１の構成において、前記接着部が、剥離手段を介して前記収容体の内側に仮固定されていることを特徴とする。
【００２７】
請求項２の構成によれば、剥離手段を収容体側に残して母乳パッドが取り出されるから、取り出した剥離紙を収容体とともに始末する必要はあるが、その他の点では、請求項９と同様の作用がある。
【００２８】
請求項３の発明は、請求項１または２の構成において、前記接着部が前記母乳パッドの防水材の表面の互いに対称の位置に複数設けられていることを特徴とする。
【００２９】
請求項３の構成によれば、請求項１の作用に加えて、前記接着部が前記母乳パッドの防水材の表面に複数設けられているので、収容体に対して、確実に仮固定されることができるとともに、使用の際には、２箇所以上の接着部により、下着等の裏面により確実に固定できる。しかも、複数の接着部は、防水材の表面の互いに対称の位置に設けられているので、母乳パッドの使用に際して、上下等の方向性を気にせず使用することができる。
【００３０】
請求項４の発明は、請求項１ないし３の構成において、前記収容体は、前記２つの母乳パッドを収容した個装単位が連続するように接続されており、かつこの個装単位ごとに幅方向に設けたミシン目を有することを特徴とする。
【００３１】
請求項４の構成によれば、請求項１ないし３の作用に加えて、個装単位が一列に連続するように接続されているので、パッケージ内に収容する場合にバラバラにならならず、散逸しない利点がある。しかも、連続個装単位の任意の箇所にて、２つの母乳パッドの間で曲折して重ねれば、重なった状態において、全ての母乳パッドの曲折部と周縁部どうしがかさなる。このため、左右の厚みが同じとなり、柔軟な素材にてバランスのとれた矩形状あるいは直方体等のパッケージとすることができる。
【発明の効果】
【００３２】
以上述べたように、本発明によれば、収容体を破くだけの簡単な作業で、母乳パッドを収容体から取り出して、すぐに使用できるようにした母乳パッド収容体を提供することができる。
【図面の簡単な説明】
【００３３】
【図１】本発明による母乳パッドの実施形態の概略斜視図である。
【図２】図１の母乳パッドを装着した状態における概略断面図である。
【図３】図１の母乳パッドを単位包装するための収容体を示す概略図である。
【図４】図３の収容体に母乳パッドを収容する状態を示す概略斜視図である。
【図５】図３の収容体に母乳パッドを収容した状態の概略縦断面図である。
【図６】図３の収容体に母乳パッドを収容した状態で二つ折りとした状態を示す概略縦断面図である。
【図７】図６に示した母乳パッド収容体の変形例を示す概略縦断面図である。
【図８】本発明の母乳パッド収容体の第２の実施形態を示す概略縦断面図である。
【図９】本発明の母乳パッド収容体の第３の実施形態を示す概略一部縦断面図である。
【図１０】図１の母乳パッドの製造工程における包装工程の一段階を示す概略説明図である。
【図１１】図１０より後段において、ベルト状に連続する収容体の搬送方向側縁を折り返す工程を示す概略説明図である。
【図１２】図１１より後段において、ベルト状に連続する収容体の中央を折り返す工程を示す概略説明図である。
【図１３】図１２より後段において、ベルト状に連続する収容体を単位包装毎にシールし、カットする工程を示す概略説明図である。
【図１４】図１３より後段において、製品を重ね合わせて、パッケージを形成するための一工程を示す概略説明図である。
【図１５】図１４より後段において、重ね合わせた製品を並列に配置して圧縮する工程を示す概略説明図である。
【図１６】図１５より後段において、重ね合わせた製品を圧縮後にパッケージを形成する工程を示す概略説明図である。
【図１７】図１の母乳パッドを単位包装するための収容体の第４の実施形態を示す概略図である。
【図１８】図１７の収容体に母乳パッドを収容する状態を示す概略断面図である。
【図１９】図１７の収容体に母乳パッドを収容した状態で二つ折りとした状態を示す概略断面図である。
【図２０】図１の母乳パッドの製造工程における包装工程の一段階を示す概略説明図である。
【図２１】図２０より後段において、収容体が個装単位毎に周縁を接着されている状態を示す概略平面図である。
【図２２】図２１より後段において、製品単位毎に切り離す状態を示す概略平面図である。
【図２３】図２２より後段において、収容体を二つ折りとする工程を示す説明図である。
【図２４】第４の実施形態にかかる収容体から取り出される母乳パッドの使用状態を示す図である。
【図２５】従来の母乳パッドの使用状態を示す説明図である。
【図２６】（ａ）は、図２５の母乳パッドの正面図であり、（ｂ）は、母乳パッドの側面図である。
【図２７】従来の母乳パッドを二つ折りとした状態を示す正面図である。
【図２８】図２７の母乳パッドを個装した状態を示す図である。
【図２９】図２８の母乳パッドの個装の概略縦断面図である。
【発明を実施するための形態】
【００３４】
以下、この発明の好適な実施形態を添付図面を参照しながら、詳細に説明する。
尚、以下に述べる実施形態は、本発明の好適な具体例であるから、技術的に好ましい種々の限定が付されているが、本発明の範囲は、以下の説明において特に本発明を限定する旨の記載がない限り、これらの態様に限られるものではない。
【００３５】
第１の実施形態
図１は、本発明の実施形態による母乳パッドの外観を示す概略斜視図であり、図２は、図１の母乳パッドを装着した状態で、その内部構造を示す概略断面図である。
これらの図を参照して、先ず本実施形態における母乳パッドの構造を説明する。
【００３６】
図２に示すように、母乳パッド１０は、使用者が装着した状態では、その乳房１４の前面に位置する。この状態にて母乳パッド１０の外側（図２の左側）には、防水材１１が配置されており、内面側（図２において右側）には、表面材１３が配置されている。
そして、表面材１３と防水材１１の間には、吸収体１２が配置されており、これら表面材１３、防水材１１、吸収材１２は、例えば、それぞれほぼ円形に形成され、重ねられて、積層状態にて、母乳パッド１０の本体１８を構成している。
【００３７】
上記防水材１１は、液体を通さないが、好ましくは水蒸気を透過させて蒸れを防止でき、ある程度可撓性を備えている材料が選択されることが好ましい。また、防水材１１は、従来用いられていた熱変形可能な防水材と比べると柔軟な素材で形成されている。また、防水材１１を構成する材料は、耐熱性と防水性を備えていればよく、従来のように熱変形可能な材料でなくてもよい。
このような材料としては、例えばポリエチレンラミネート紙、ポリエチレンラミネート不織布やメルトブロー製法の不織布等が用いられる。
【００３８】
また、防水材１１の表面には、図１に示すように、接着部４が設けられている。この接着部４は、後述するように収容体に適用された接着剤が付着されることによって形成されるようにしてもよく、あるいは、そのような構造にしない場合には、防水材１１の表面に接着剤を適用し、その上に剥離紙を貼ることで、これを剥がして、図２５にて説明したようなブラジャー２のカップ３の内側にこの接着部４を貼りつけて固定できるようになっている。この点については、後で詳しく述べる。
【００３９】
上記表面材１３は、直接使用者の肌と接触する部材であり、母乳等の水分を良く透過し、肌ざわりのよい素材が選択される。つまり、表面材１３は、直接使用者の肌に触れるため、肌を必要以上に損なうことなく、肌触りのよい点等を考慮して、これに適した材料が選択される。好ましくは、ドライメッシュシート（ポリエチレン等により形成した網目状シート）や、不織布が用いられる。
【００４０】
吸収体１２は、液体吸収性に優れた素材が選択され、パルプの繊維体や積層体やシート体が用いられる。さらに吸収体１２には、これらパルプ素材等に液体吸収性に優れ、液体をそのまま，あるいは半固化もしくは固化して保持する機能を備える材質の粒状物であるポリマーが混入使用されている。
このような材料としては、例えば吸水性の重合体が適しており、例えばポリアクリル酸塩系共重合体、澱粉−アクリロニトリルグラフト共重合体の加水分解物、澱粉−アクリル酸グラフト共重合体、ポリビニルアルコール−アクリル酸塩共重合体、カルボキシメチルセルロース変成物等が挙げられる。
そして、吸収体１２は、図３に示すように、ティシュ１５に包まれている。これにより、上記粒状のポリマー等が漏れでないようになっている。
以上の構成でなる母乳パッド１０は、図２５にて説明したのと同様に、半分に折り曲げられることによって、半円形もしくは半月形となって、図３の収容体に収容される。
【００４１】
図３は、上記母乳パッド１０を２つ収容して単位包装するための収容体２０を示しており、本発明の第１の実施形態を示している。
図において、収容体は、一方向に長い帯状の部材であり、後述する製造工程において、例えば、帯状にしたポリエチレン製のフィルムとして供給されるものである。
単位包装するための収容体２０としてのフィルムでは、２つの母乳パッド１０を直列に収容するのに十分な幅と長さを備える中央の領域２１と、この中央領域２１の各端部から長さ方向にそれぞれ連設された２つの端部領域２２と２３が形成されている。
【００４２】
図４に示すように、収容体２０の中央領域２１には、その長さ方向に直列に並ぶように２つの母乳パッド１０，１０が載置されている。この状態では、各母乳パッド１０，１０は上述したようにそれぞれ２つ折りされており、図４にて示されているように、同じ向きにされている。例えば図において上側に各２つ折り母乳パッド１０，１０のＲ状の周縁が位置するように、その向きが揃えられている。
【００４３】
さらに、図４に示すように、収容体２０の各端部領域２２，２３は、それぞれ内側に、かつ互いの端面が向き合うように折り返されるようになっている。
ここで、図４の仮想の直線Ｌにて示されているように、中央領域２１を等距離に載置されるべき分割する場合，すなわち、中央領域２１に置かれる母乳パッド１０どうしの間でさらに領域を分割する。そして、各端部領域２２，２３のそれぞれの側縁部２２ａ，２２ｂ，２３ａ，２３ｂに対応した位置となる中央領域２１の各側縁部を２１ａ，２１ｂ，２１ｃ，２１ｄとする。これら各側縁部は、後述する製造工程において、端部領域２２の側縁２２ａは、その下に位置する中央領域２１の側縁部２１ａと、端部領域２２の側縁２２ｂは、その下に位置する中央領域２１の側縁部２１ｂと、端部領域２３の側縁２３ａは、その下に位置する中央領域２１の側縁部２１ｃと、端部領域２３の側縁２３ｂは、その下に位置する中央領域２１の側縁部２１ｅとそれぞれ固定される。
尚、この固定の工程は、実際は後述するように、図６の工程よりも後工程で行われることができる。
【００４４】
これにより、図４の仮想の直線Ｌと直交する方向の断面を示す図５に表されているように、各端部領域２２，２３に対応して、袋状の部分２３と２４とがそれぞれ形成される。この袋状部分２２と２３に母乳パッド１０，１０がそれぞれひとつずつ収容されている。
そして、好ましくは、端部領域２２と２３の間に、例えば、固定手段として固定用のテープ２６を貼れば、各端部領域２２と２３の各端面がほぼ閉じられて、衛生的である。
【００４５】
さらに、図４の仮想線Ｌに沿って折り曲げて、図４及び図５の矢印に示すように各袋状部分２２と２３とを重ねるようにする。これにより、収容体２０全体は、図６に示すように二つ折りの単位包装となる。
この状態では、収容体２０内において、２つ折りの母乳パッド１０，１０は、それぞれ向きを逆にして重ねられており、このため、収容体２０の図において左側の厚みＴ１（高さ）と右側の厚みＴ２（高さ）はほぼ等しくなる。
【００４６】
図７は、収容体２０による異なる包装態様における上記実施形態の変形例を示している。
図７では、収容体３０の端部領域２２だけが、母乳パッド１０，１０の間に入り込んでおり、この状態で、収容体３０の中央領域及び他の端部領域２３は、母乳パッド１０，１０の周囲をつつみこむように包装されている。
このような包装形態においても、収容体３０内において、２つ折りの母乳パッド１０，１０は、それぞれ向きを逆にして重ねられており、このため、収容体２０の図において左側と右側の厚みはほぼ等しくなる。
【００４７】
第２の実施形態
図８は、本発明の第２の実施形態を示している。
この第２の実施形態において、上述の第１の実施形態と同一の符号を付した箇所は共通する構成であるから、重複する説明は省略し、相違点を中心に説明する。
図において、収容体４０は第１の実施形態の収容体とその材質等は同じであり、ひとつの母乳パッド１０を収容している。このため、図８の収容体４０の図において左右の長さは、第１の実施形態よりも小さくなる。
【００４８】
図において、母乳パッド１０の下面（防水材の表面）には、接着部４が位置しており、この接着部４には、剥離紙４２が貼られている。そして、この剥離紙４２は、収容体４０の内面に形成された接着部４３に固定されている。
つまり、この場合、接着部４と接着部４３とは、例えば異なる接着剤を使う等の手段により、接着部４３は、接着部４よりも接着力が強くなるように形成されている。
【００４９】
第２の実施形態は以上のように構成されており、使用者は、収容体４０を破くだけで、母乳パッド１０を取り出せる。この母乳パッド１０は取り出される時に剥離紙４２との仮固定が解除される。何故なら、収容体４０と剥離紙４２との接着部４３の接着力は、母乳パッド１０と剥離紙４２との間の接着部４の接着力よりも強いから、収容体４０から、母乳パッド１０を取り出す作業において、これと同時に母乳パッド４０から剥離紙４２が剥がされて、接着部４が露出するのである。
したがって、この実施形態においても、使用者は、収容体４０を破くだけで、ひとつの母乳パッド１０をその接着部４が露出した状態にて取り出すことができるのである。
【００５０】
第３の実施形態
図９は、本発明の第３の実施形態を示している。
この第３の実施形態において、上述の第１又は第２の実施形態と同一の符号を付した箇所は共通する構成であるから、重複する説明は省略し、相違点を中心に説明する。
図において、収容体５０は、ひとつの母乳パッド１０を収容しており、収容体５０は第１の実施形態の収容体とその材質等は同じでありの左右の長さが、第１の実施形態よりも小さい点は、第２の実施形態の場合と同様である。
【００５１】
図９において、収容体５０の内面には、剥離部５１が形成されている。この剥離部５１は、収容体５０の剥離部５１が形成されていない内面よりも、平滑なはがれやすい面を形成している。この剥離部５１は、例えば、シリコンコートされたポリエチレンフィルムにより形成されている。
一方、母乳パッド１０の下面（防水材の表面）には、接着部４が位置しており、この接着部４には、上記剥離部５１が仮固定されている。
【００５２】
第３の実施形態は以上のように構成されており、使用者は、収容体５０を破くだけで、母乳パッド１０を取り出せる。この母乳パッド１０は取り出される時に接着部４が露出される。つまり、この接着部４は、収容体５
０の特に剥がれやすくした剥離部５１に仮固定されているだけなので、収容体５０から、母乳パッド１０を取り出す作業において、これと同時に母乳パッド１０の接着部４と剥離部５１との仮固定が簡単に解除されて、接着部４が露出するのである。
したがって、この実施形態においても、使用者は、収容体５０を破くだけで、ひとつの母乳パッド１０をその接着部４が露出した状態にて取り出すことができるのである。
尚、第２及び第３の実施形態は、収容体内にひとつの母乳パッド１０を収容した場合について説明したが、収容体内に２つの母乳パッドを収容して、その接着部を収容体の内面と仮固定してもよい。この場合には、２つの母乳パッド１０の向きは、図３や図４で説明したように同じ向きではなく、異なる向きに収容してもよい。
【００５３】
図１０ないし図１６は、上述のような母乳パッド１０の製造工程の後半に設けられる母乳パッド収容体２０の包装工程を簡単に示すものである。
図１０において、製造ラインの図示しないコンベヤ等の搬送手段上には、搬送方向Ａに沿って長く延びた収容体となるべきフィルム等でなる収容体材料３１が送られる。この収容体材料３１は、図３の収容体２０が延びている方向と直交する方向に長く延びるベルト状を呈している。
【００５４】
図１０に示されているように、収容体材料３１の幅方向に並ぶように、２つ一組の母乳パッド１０，１０が向きを揃えて（前述）配置される。さらに、搬送方向Ａにそって、他の組の母乳パッド１０，１０が順次等間隔にならべられて、送られるようになっている。
ここで、収容体材料３１の表面には、各母乳パッド１０の防水材１１表面に対応する位置に、例えばホットメルト等の接着剤３２，３３が適用され、その上に各母乳パッド１０が置かれる。これにより、上に置かれた各母乳パッド１０の防水材１１表面に接着部４が形成される。
【００５５】
次いで、図１１に示すように、収容体材料３１の両側縁側３４，３５は互いに内側に折り返される。この両側縁側３４，３５は、単位包装における収容体２０の端部領域２２，２３にそれぞれ対応している。
【００５６】
さらに、図１２に示すようにして、図４の仮想の直線Ｌに対応した位置にて、収容体材料３１が折り重ねられて、母乳パッド１０，１０は、図６に示した向きに互いに重なることとなる。
そして、図１３に示すように、次の工程にて、各単位包装を形成する収容体２０ごとに、その中間部分３６が例えばヒートシールにより固定されるが、この工程が、図４及び図５で説明した各袋状部分２４，２５を形成する固定の工程である。
また、この固定部３６にて、各収容体２０は、カットされることにより、単位包装の製品としての母乳パッド収容体２０が完成する。
【００５７】
次に図１４に示すように、多数の母乳パッド収容体２０が重ねられる。この場合、図６で説明したように、母乳パッド収容体２０の全体において、その厚みは同じに仕上げられているので、安定的に重ねることができる。
そして、図１５に示すように重ねた多数の母乳パッド収容体２０をさらに並列に複数列配置し、矢印に示すように周囲から加重をかけて圧縮して、図１６に示すように、パッケージ材料３７で包む。
【００５８】
この場合、縦横に重ねた多数の母乳パッド収容体２０は、ほぼ正確な矩形もしくは直方体となるから、柔軟で防水性を備えたポリエチレン等のパッケージ材料３７で包装することができ、従来のような扱いにくい紙製の箱体でなるパッケージと比較すると、流通の各過程において、極めて扱い易い。
【００５９】
また、本実施形態の母乳パッド収容体２０は、上記パッケージ性能以外にも、以下のような種々の利点を備えている。
すなわち、上述したように、２つの母乳パッド１０，１０をひとつの単位包装とすることができるので、図２５にて説明したように、ブラジャー２の各カップ３，３に母乳パッド１０，１０をそれぞれ装着しようとする場合には、使用単位に対応した便利な単位包装とすることができる。
また、ひとつの母乳パッド１０だけを使用したい場合には、図４及び図５の母乳パッド収容体２０の一方の端部領域２２または２３を摘んで、袋状部分２４，２５のいずれか一方をやぶいて、取り出すことができ、その後は、図６のように母乳パッド収容体２０を２つ折りにすれば、携行に便利である。
【００６０】
この点は、図７の変形例の場合も同様であって、図７の母乳パッド収容体３０では、端部領域２３の一端を手指にて保持して、母乳パッド収容体３０を開くと、図において、下側の母乳パッド１０を簡単に取り出すことができる。
【００６１】
さらに、図３のように、収容体２０の内面に、予め接着剤３２または３３が適用されている場合には、上記袋状部分２４，２５のいずれか一方をやぶいて、母乳パッド１０を取り出すだけで、その表面（防水材１１の表面）に接着部４を露出させることができる。
つまり、使用者が母乳パッド収容体２０を図６の状態にて、保持している場合には、図６から図５の状態に開いて、一方の端部領域２２または２３を摘んで、袋状部分２４，２５のいずれか一方をやぶき、収容されている母乳パッド１０を取り出すだけで、図２５に示すように、接着部４を利用して下着に装着することができる。したがって、従来のように個装とされて母乳パッドについて、ひとつずつその包装をやぶき、剥離紙を外すといった面倒な手順が省略され、簡単に使用することができる。
しかも、ゴミとして剥離紙が残ることもないので、出先で使用する際等においても、不要な剥離紙を処理する不便がなく、きわめて機能的で使いやすい。
【００６２】
第４の実施形態
図１７は、本発明の第４の実施形態を示している。
この第４の実施形態において、母乳パッド１０の構成は上述の第１ないし第３の実施形態と同じであるから、同一の符号を付して、重複する説明は省略する。その他、第１ないし第３の実施形態と同一の符号を付した箇所は共通する構成であるから、重複する説明は省略し、相違点を中心に説明する。
【００６３】
図１７は、上記母乳パッド１０を２つ収容して単位包装（個装）するための収容体６０を示している。
図において、母乳パッド収容体６０は、上帯状体６１と、下帯状体６２とからなるそれぞれ一方向に長い帯状の部材であり、これらは同じものであって、後述する製造工程において、例えば、帯状にしたポリエチレン製のフィルムとして供給されるものである。
この母乳パッド収容体（以下、「収容体」という）６０では、図１７に示すように、下帯状体６２の上に２つの母乳パッド１０，１０が載置されている。この状態では、各母乳パッド１０，１０は上述したようにそれぞれ２つ折りされており、図１７にて示されているように、同じ向きにされている。例えば図において右下側に各２つ折り母乳パッド１０，１０の曲折部１０ｂ，１０ｂが向くように、その向きが揃えられている。
【００６４】
この状態において、上から上帯状体６１が重ねられる。そして、上帯状体６１と下帯状体６２との間に、２つの母乳パッド１０，１０をはさみこむようにして、この上帯状体６１の周縁６１ａと下帯状体６２の斜線で示す周縁６２ａは、後述するようにして、例えばヒートシール等により接着されている。
さらに、上帯上体６１にあっては、中央付近にて、幅方向に沿って開封手段ちしての例えばミシン目６４が設けられており、このミシン目を破断することによって、収容体６０から各母乳パッド１０，１０を取り出すことができるようになっている。
図１８は、図１７のＡ−Ａ線断面図である。
図において、収容体６０内では、２つ折りの各母乳パッド１０，１０は、その周縁部１０ａ及び曲折部１０ｂを同じ向きに揃えて、一列に収容されている。各母乳パッド１０，１０は、それぞれの防水材１１の表面の各２箇所において、例えば接着剤を適用してなる接着部１１ａ，１１ａを備えている。この接着部１１ａ，１１ａには、剥離手段としての剥離紙６５，６５が仮固定されており、さらに、これら剥離紙６５，６５は、上帯状体６１及び下帯状体６２に対して、各接着部６１ｂ，６２ｂによって固定されている。
【００６５】
そして、この場合、接着部１１ａ，１１ａ（第１の接着部）と、これに対応した各接着部６１ｂ，６２ｂ（第２の接着部）とは、例えば異なる接着剤を使う等の手段により、異なる接着力を有するように構成されている。
つまり、接着部６１ｂ，６２ｂは、接着部１１ａ，１１ａよりも接着力が強くなるように形成されている。
【００６６】
このため、使用者は、収容体６０を破くだけで、母乳パッド１０を取り出せる。つまり、この母乳パッド１０は取り出される時に剥離紙６５との仮固定が解除され、剥離紙は、接着部１１ａ，１１ａよりも接着力の強い各接着部６１ｂ，６２ｂ側に残る。これにより、母乳パッド１０では、取り出された時に、その防水材１１表面に２つの接着部１１ａ，１１ａが露出し、これによって、後述する図２４で説明するように、下着の内側に固定することができる。
【００６７】
しかも、この母乳パッド１０では、下着に対する固定手段としての接着部が２箇所（１１ａ，１１ａ）あるため、しっかりと固定することができる。また、図２５及び図２６に示されているように、ひとつの接着部４が円形の防水材の表面に偏心して存在すると、下着への装着位置との関係から方向性が生じるが、本実施形態の場合は、円形の防水材１１の対称の位置に２つの接着部１１ａ，１１ａが設けられているので、このような方向性がないため、その分使い勝手が向上する。この点は詳しく後述する。
【００６８】
この収容体６０は、図１８の状態から、その仮想の中心線Ｃ−Ｃを境にして、矢印に示すように曲折すると、図１９に示すように折り重ねた状態とした二つ折りの単位包装となる。
尚、図１９の場合、上述の各接着部は図示を省略されている。
【００６９】
図１９において、この状態では、収容体６０内において、２つ折りの母乳パッド１０，１０は、それぞれ向きを逆にして重ねられることになり、このため、収容体６０の図において左側の厚みＴ１（高さ）と右側の厚みＴ２（高さ）はほぼ等しくなる。
【００７０】
図２０ないし図２３は、母乳パッド１０をこのような収容体６０に包装する工程を示している。
母乳パッド１０は、図１５で説明したような二つ折りの状態にて、コンベヤルト等の搬送ベルト７１により、矢印方向に送られる。この時、搬送手段７１では、母乳パッド１０の二つ折り状態における外側，つまり、上述した防水材１１の表面には、図において、上側と下側の両方に、接着部１１ａ，１１ａと、その上に剥離紙６５，６５が貼られた状態で送られてくる。この場合、各母乳パッド１０は、上述したように、同じ方向に揃えられて、一列に順次搬送される。
【００７１】
搬送手段７１の終端付近には、矢印方法に回転する吸引ドラム７２が配置されている。この吸引ドラム７２は、その外周面に、搬送手段７１によって送られてくる母乳パッド１０を真空吸着等の手段によって、順次吸着する。
この吸引ドラム７２の後段には、上から送られてくる上帯状体６１と、下から送られてくる下帯状体６２とが重ねられる工程が配置されている。吸引ドラム７２により送られる母乳パッド１０は、ここで、上帯状体６１と下帯状体６２との間に挟み込まれるようになっている。
【００７２】
この場合、上帯状体６１は、重ね合わせの前に、その下面側に対して、ディスペンサ等の供給手段７３により、ゴム系やオレフィン系のホットメルト等の接着剤が適用される。また、下帯状体６２は、重ね合わせの前に、その上面側に対して、ディスペンサ等の供給手段７４により、ゴム系やオレフィン系のホットメルト等の接着剤が適用される。これにより、上帯状体６１と下帯状体６２に挟まれる時に、母乳パッド１０の上下の各剥離紙６５，６５の表面側には、上記各接着剤が付着して、接着部６１ｂと接着部６２ｂが同時に形成されて、母乳パッド１０は各帯状体６１，６２の内側で仮固定される。
【００７３】
次いで、重ねられた上帯状体６１と下帯状体６２の各周縁部６１ａと６２ｂとはヒートシール等により接着されて、図２１に示す状態となる。
そして、図２１に示すように、母乳パッド１０，１０が２個ずつ包装された個装単位（二つの母乳パッド１０，１０が周縁のヒートシールにより囲まれた単位）が連続した状態から、製品単位の包装となるように、切断線７５に沿ってカットして、図２２に示すように切り離し、包装を二つ折りする前の製品単位としての収容体６０を得る。
そして、この場合、母乳パッド１０，１０が周縁のヒートシールに先立って、各帯状体６１，６２は、工程上にて折られたりすることがなく、互いに上下にぴったりと重ねられるため、フィルムシート状の帯状体６１，６２の間からほぼ完全にエアーをパージすることができ、ヒートシール後に個装単位の袋状の内側が膨らむことがないので、後述するパッケージ包装の際にコンパクトにすることができる。
【００７４】
次に、図２３に示すように、切り離された各収容体６０は、搬送手段４４により矢印方向に送られる途中で、ディスペンサ等の供給手段７６により、仮止め用のゴム系やオレフィン系のホットメルト等でなる接着剤７８が適用される。これにより、パッド収容体６０を図１８で説明したように二つ折りした場合に、内側となる面が互いに仮固定されて、開いてしまうことが防止される。そして、この状態において、ミシン目から異物等が内部に侵入することが防止される。
さらに、パッド収容体６０は、さらに順次送られて、例えば、回転方式の折り手段８１等によって、図１８で説明した仮想の中心線Ｃ−Ｃを境にして、曲折され、二つ折りの単位包装でなる収容体６０は、搬送手段８２と搬送手段８３の間に案内されて、矢印方向へ送られる。
【００７５】
これにより、パッド収容体６０は、ひとつひとつ二つ折りにされた状態で、図１４の収容体２０と同じ状態とされ、以下、順次図１４から図１６の収容体２０と全く同様にパッケージ包装することができる。
【００７６】
このように、本実施形態によれば、図２０で説明したように、収容体６０の内面に、予め接着剤が適用されているので、上記ミシン目６４を破断して、母乳パッド１０を取り出すだけで、剥離紙６５，６５は、上帯状体６１の接着部６１ｂと下帯状体６２の接着部６２ｂに貼りついた状態で収容体側に残り、母乳パッド１０の表面（防水材１１の表面）に、２つの接着部１１ａ，１１ａを露出させることができる。
つまり、使用者が母乳パッド収容体６０を図１９の状態にて、保持している場合には、図１９から図１８の状態に開いて、ミシン目６４を破き、収容されている母乳パッド１０を取り出すだけで、図２４に示すように、接着部１１ａ，１１ａを利用して下着２に装着することができる。したがって、従来のように個装とされた母乳パッドについて、ひとつずつその包装をやぶき、剥離紙を外すといった面倒な手順が省略され、簡単に使用することができる。
しかも、ゴミとして剥離紙が残ることもないので、出先で使用する際等においても、不要な剥離紙を処理する不便がなく、きわめて機能的で使いやすい。
尚、上記ミシン目６４は、開封手段の一例であり、開封手段としては、ミシン目に限らず、帯状部材に単に幅方向に切れ目をいれたり、この切れ目部分にシールを貼って封をしたりして構成してもよく、また、この切れ目部分の材料を僅かにオーバーラップさせて構成してもよい。
【００７７】
さらに、図２４に示されているように、この母乳パッド１０では、使用の際に表面側（外側）となる円形の防水材１１の中心に関して、対称の位置に二つの接着部１１ａ，１１ａを有している。このため、図示のように、下着としての例えばブラジャー２のカップ３内に収容して装着する場合には、カップ３の内面に二箇所で仮固定される。
これにより、母乳パッド１０は、カップ３内で図２５の場合よりもずれにくく、しっかりと保持されることになる。しかも、母乳パッド１０の接着部１１ａ，１１ａは上述のように、防水材１１の対称の互いに対称の位置に形成されていることから、例えば、図２４の矢印方向，例えば上下方向の方向性を問わずに使用しても、同様の仮止め効果を得ることができ、その分使い勝手が向上する。
【００７８】
本発明は上述の実施形態に限定されない。
例えば母乳パッド１０の本体１８は、円形である必要はなく、他の形状であってもよいことは勿論である。また、本体１８内の収容材料は、上述の部材以外のものであってもよい。
また、防水材１１や表面材１３、吸収体１２は、上述の実施形態記載の材料以外の種々の材料を選択することができる。
そして、防水材１１に設ける接着部は、上述のように１箇所もしくは２箇所ではなく、互いに対称な位置にこれよりも多数設けてもよい。
また、上述の各実施形態の各構成部分を任意に選択して組み合わせてもよい。
【符号の説明】
【００７９】
１０・・・母乳パッド、１１・・・防水材、１１ａ，１１ａ・・・接着部、１２・・・吸収体、１３・・・表面材、１５・・・ティシュー、２０・・・収容体、２１・・・中央領域、２２，２３・・・端部領域、２４，２５・・・袋状部分。６０・・・母乳パッド収容体、６１・・・上帯状体、６２・・・下帯状体、６４・・・ミシン目。
【図１】
0004866449.tif 000002
【図２】
0004866449.tif 000003
【図３】
0004866449.tif 000004
【図４】
0004866449.tif 000005
【図５】
0004866449.tif 000006
【図６】
0004866449.tif 000007
【図７】
0004866449.tif 000008
【図８】
0004866449.tif 000009
【図９】
0004866449.tif 000010
【図１０】
0004866449.tif 000011
【図１１】
0004866449.tif 000012
【図１２】
0004866449.tif 000013
【図１３】
0004866449.tif 000014
【図１４】
0004866449.tif 000015
【図１５】
0004866449.tif 000016
【図１６】
0004866449.tif 000017
【図１７】
0004866449.tif 000018
【図１８】
0004866449.tif 000019
【図１９】
0004866449.tif 000020
【図２０】
0004866449.tif 000021
【図２１】
0004866449.tif 000022
【図２２】
0004866449.tif 000023
【図２３】
0004866449.tif 000024
【図２４】
0004866449.tif 000025
【図２５】
0004866449.tif 000026
【図２６】
0004866449.tif 000027
【図２７】
0004866449.tif 000028
【図２８】
0004866449.tif 000029
【図２９】
0004866449.tif 000030